(57)【特許請求の範囲】
【請求項１】
自電話端末の移動速度を検知する機能を備えた携帯型電話端末であって、
自電話端末が予め定められた範囲の速度で移動中の状態であるか否かを検知する移動状態検知手段と、前記移動中の速度が減速され移動中から停止状態に移行している状態および停止状態に移行したか否かを検知する停止状態移行検知手段と、
着信に自動的に応答し予め登録されている所定のメッセージを当該着信の発信元に報知するメッセージ報知手段と、
前記移動状態検知手段および前記停止状態移行検知手段が検知した内容を解析して着信に対する処理を決定する着信処理決定手段と、を有し、
前記着信処理決定手段は、前記移動状態検知手段によって自電話端末が予め定められた第１の速度範囲で移動中の状態であることを検知している状態において着信を検知した場合、前記停止状態移行検知手段によって移動速度が減速され停止状態に移行している状態であることを検知したならば、前記メッセージ報知手段に指示して着信に自動的に応答し、通話をするための準備中である旨の第１のメッセージを報知し、
前記着信を検知した後または前記第１のメッセージの報知を開始した後の所定の期間内に前記停止状態移行検知手段によって停止状態への移行を検知しなかった場合、もしくは前記移動状態検知手段によって予め定められた第２の速度範囲で移動中であることを検知した場合、前記メッセージ報知手段に指示して電話に出られない旨の第２のメッセージを報知することを特徴とする移動状態検知機能を有する電話端末。
【請求項２】
請求項１に記載の電話端末において、
前記着信処理決定手段は、着信を検知した後またはメッセージを報知している状態において前記停止状態移行検知手段によって停止状態に移行したことを検知した場合に、メッセージの報知を中止して発信元と通話状態を形成することを特徴とする移動状態検知機能を有する電話端末。
【請求項３】
請求項１または請求項２に記載の電話端末において、
発信元との通話の開始要求操作を受け付ける通話開始操作受付手段を更に具備し、
前記着信処理決定手段は、着信を検知した後またはメッセージを報知している状態において、前記通話開始操作受付手段によって通話の開始要求操作を検知した場合に、メッセージの報知を中止して発信元と通話状態を形成することを特徴とする移動状態検知機能を有する電話端末。
【請求項４】
請求項１から請求項３のいずれかに記載の電話端末において、
自電話端末に対する衝撃のパターンまたは変位のパターンまたは所定のボタン操作または音声コマンドを検知する特定操作検知手段を更に有し、
前記着信処理決定手段は、前記特定操作検知手段によって検知した特定操作に対応して通話状態を形成するまたは前記第１のメッセージを報知するまたは前記第２のメッセージを報知することを特徴とする移動状態検知機能を有する電話端末。
【請求項５】
請求項１から請求項４のいずれかに記載の電話端末において、
前記移動状態検知手段および前記停止状態移行検知手段は、自電話端末に内蔵されたＧＰＳ(Global Positioning System)機能または加速度センサー機能を用いることを特徴とする移動状態検知機能を有する電話端末。
【発明の詳細な説明】
【技術分野】
【０００１】
本発明は、自電話端末の移動状態を検知し、着信に対する応答動作を切り替える機能を有する携帯型電話端末に関するものである。
【背景技術】
【０００２】
従来の携帯型電話端末では、使用者が車両を運転して移動中に着信があった場合、応答遅延モードとして着信に自動応答して、使用者（被呼者）が応答するまでの間、応答することが難しい状態にある旨を示すメッセージを報知したり、ハンズフリー通話用のマイクとスピーカが接続されている場合にのみハンズフリーモードとして自動応答してハンズフリー通話状態とすることが知られていた。このことは、特許文献１および特許文献２で示されている。
【先行技術文献】
【特許文献】
【０００３】
【特許文献１】特開平１１−２５２６５１号公報
【特許文献２】特開２００９−１８８８１４号公報
【発明の概要】
【発明が解決しようとする課題】
【０００４】
しかし、特許文献１に示す方法では、被呼者が車両を安全なスペースに停止させて電話に出ようと行動した場合でも、応答することが難しい旨のメッセージが報知されるため、発呼者が呼び出しをあきらめて電話を切ってしまうことがある。
【０００５】
また、特許文献２に示す方法では、ハンズフリー通話用のマイクとスピーカが接続されてない場合には、通常モードで着信状態を継続するため、被呼者が車両を安全なスペースに停止させて電話に出るまで呼出状態が長期間継続するため、発呼者が呼び出しをあきらめて電話を切ってしまう可能性が高まる。またハンズフリー通話用のマイクとスピーカが接続されている場合でも、高速道路を走行中など運転に集中することが求められる状況では、ハンズフリー通話であっても電話に出る（通話をする）ことがふさわしくない場合もある。
【０００６】
本発明は、上記課題に鑑みなされたもので、本発明の目的は、移動中の着信に対して、被呼者が移動をやめて（停止して）電話に出ようとする行動を察知して、発呼者に対して通話するための準備中である旨を示すメッセージを報知する。また、所定の速度範囲を超えた場合や通話を行うのがふさわしくない場所であることを察知して、発呼者に対して電話に応答することができない旨を示すメッセージを報知する技術を提供することにある。
【課題を解決するための手段】
【０００７】
上記課題を解決するために、本発明は自電話端末の移動速度を検知する機能を備えた携帯型電話端末であって、自電話端末が予め定められた範囲の速度で移動中の状態であるか否かを検知する移動状態検知手段と、前記移動中の速度が減速され移動中から停止状態に移行している状態および停止状態に移行したか否かを検知する停止状態移行検知手段と、着信に自動的に応答し予め登録されている所定のメッセージを当該着信の発信元に報知するメッセージ報知手段と、前記移動状態検知手段および前記停止状態移行検知手段が検知した内容を解析して着信に対する処理を決定する着信処理決定手段と、を有し、前記着信処理決定手段は、前記移動状態検知手段によって自電話端末が予め定められた第１の速度範囲で移動中の状態であることを検知している状態において着信を検知した後、前記停止状態移行検知手段によって移動速度が減速され停止状態に移行している状態であることを検知したならば、前記メッセージ報知手段に指示して着信に自動的に応答し、通話をするための準備中である旨の第１のメッセージを報知し、前記着信を検知した後または前記第１のメッセージを報知した後の所定の期間内に前記停止状態移行検知手段によって停止状態への移行を検知しない場合、もしくは前記移動状態検知手段によって予め定められた第２の速度範囲で移動中であることを検知した場合、前記メッセージ報知手段に指示して電話に出られない旨の第２のメッセージを報知することを特徴とする。
【０００８】
また、本発明の電話端末において、前記移動状態検知手段および前記停止状態移行検知手段は、自電話端末に内蔵されたＧＰＳ(Global Positioning System)機能または加速度センサー機能を用いることを特徴とする。
【発明の効果】
【０００９】
本発明によれば、該電話装置に内蔵されたＧＰＳ機能や加速度センサーを用いて移動速度または停止状態へ移行したか否かを検知し、通話の意向があると判断した場合に、通話可能な状態になるまでの間、通話するための準備中である旨のメッセージを報知することで、発呼者に呼び出しをあきらめさせず、電話に出る機会を逃さないようにすることができる。
【００１０】
また移動速度や現在位置や停止場所等を識別して通話の適否を判断することによって、通話をすることがふさわしくない状況では、電話に応答することができない旨のメッセージを報知することで、移動の安全性を確保することができる。
【図面の簡単な説明】
【００１１】
【図１】本発明による電話端末のブロック構成図である。
【図２】本発明による制御部（着信処理決定手段）の動作フローチャートである。
【図３】移動速度と着信やメッセージ報知の契機との関連を示す図である。
【発明を実施するための形態】
【００１２】
以下、図面を用いて本発明の実施例を説明する。
【００１３】
図１は、本発明による電話端末のブロック構成図である。発信元電話端末１と本発明による電話端末３とが、携帯網（電話網）２を介して接続されている。
【００１４】
本発明による電話端末３は、携帯網２と接続するための無線インタフェース部３０１と、各部を制御する制御部３２０と、発信元端末１との間で通話音声を入出力する通話接続部３０２と、マイク３０３と、スピーカ３０４と、着信の有無や電話機の状態を可視可聴表示によって使用者に知らせる表示部３３１と、発信・応答・終話を要求するキー押下を受け付ける操作部３３２によって携帯型電話端末としての基本構成をなしている。
【００１５】
また、これに加えて本発明を実現するための、ＧＰＳ信号受信部３１１と、衝撃や加減速を検知する加速度センサーや電話端末本体の変位を検知するジャイロ等を備えたセンサー群３１２と、ＧＰＳ信号受信部３１１およびセンサー群３１２の検知結果から移動状態や特定操作を判定する移動状態判定部３１３と、移動状態判定部３１３によって得られた結果と地図情報データベースと連携してナビゲーション機能を実現する現在位置識別部３２３と、音声コマンドによる特定操作を検知する音声コマンド検知部３２２と、発信元電話端末１に対して所定のメッセージを出力するメッセージ送出部３２１を更に具備している。
【００１６】
発信元電話端末１が発信すると、電話網（携帯網）２を介して電話端末３に着信する。このとき、電話端末３の制御部３２０は、携帯網２から無線インタフェース部３０１を介して受信した信号を解析し、自電話端末への着信の到来を判断する。
【００１７】
次に、制御部３２０は、移動状態判定部３１３および現在位置識別部３２３から、直前の移動状態（移動速度の平均値や位置情報）を取得し、所定の速度範囲でかつ応答可能な場所にいると判断したならば、表示部３３１の可視可聴表示によって着信状態であることを報知する。
【００１８】
次に、再度移動状態判定部３１３から現在の移動状態を取得し、所定の速度以下に減速されたと判断したならば、無線インタフェース部３０１を介して携帯網２に対して着信応答を通知し、通話接続部３０２に対してメッセージ送出部３２１との接続を指示し、メッセージ送信部３２１に対して電話に出るための準備中である旨を示す通話準備中メッセージを発信元電話端末１に送出するよう指示する。
【００１９】
次に、制御部３２０は、操作部３３２によって通話開始を要求するキー押下を検知した、または音声コマンド検知部３２２によって通話開始を要求する音声コマンドを検知した、またはセンサー群３１２によって通話開始を要求する所定の衝撃や変位のパターンを検知した、または現在位置識別部３２３によって通話可能な場所に停止したことを検知した場合に、メッセージ送出部３２１に指示して前記メッセージの送出を中止し、通話接続部３０２に指示してマイク３０４とスピーカ３０３を発信元電話端末１と通話可能な状態に接続する。
【００２０】
また自電話端末への着信の到来を検知した際、移動状態判定部３１３および現在位置識別部３２３から取得した直前の移動状態が、高速度で移動中である、または応答が困難な場所にいる状態を示していたならば、通話接続部３０２に対してメッセージ送出部３２１との接続を指示し、メッセージ送信部３２１に対して、電話に応答することができない旨を示す応対不可メッセージを発信元電話端末１に送出するよう指示する。
【００２１】
図２は、本発明による制御部（着信処理決定手段）の動作フローチャートである。待機状態（Ｓ３０００）において、無線インタフェース部３０１で受信した信号から着信の到来を検知すると（Ｓ３００１，Ｙ）、移動状態判定部３１３および現在位置識別部３２３から直前の移動状態（移動速度の平均値と位置情報）を取得し（Ｓ３００２）、第１の移動速度範囲（図３のＶ１）でかつ応答可能な場所（例として一般道）を移動していると判断したならば（Ｓ３０１０，Ｙ）、表示部３３１より着信状態であることを使用者に報知する（Ｓ３０１１）。
【００２２】
次に、移動を中断（停止）して通話を行おうとする動作を監視する減速監視タイマを開始し（Ｓ３０１２）、再度移動状態判定部３１３および現在位置識別部３２３から現在の移動状態を取得する（Ｓ３０１３）。
【００２３】
次に、現在の移動速度が所定の速度範囲（図３のＶ０）に減速されたか否かを、減速監視タイマが満了するまで監視する（Ｓ３０１４，Ｓ３０１５）。
【００２４】
ステップ３０１５において、減速監視タイマの満了を検知した場合（Ｓ３０１５，Ｙ）、通話を行おうとする意向がないまたは電話に応答できる状況でないと判断して、無線インタフェース部３０１を介して携帯網２に対して着信応答を通知した後（Ｓ３０３１）、通話接続部３０２とメッセージ送出部３２１に対して、電話に応答することができない旨を示す応対不可メッセージを発信元電話端末１に送出するよう指示し（Ｓ３０３２）、メッセージの送出終了後、通話を切断して（Ｓ３０３３）、待機状態（Ｓ３０００）に戻る。
【００２５】
ステップ３０１４において、減速監視タイマが満了する前に現在の移動速度が所定の速度範囲（図３のＶ０）に減速されたことを検知した場合（Ｓ３０１４，Ｙ）、通話を行うため停止しようとしている状態であると判断して、無線インタフェース部３０１を介して携帯網２に対して着信応答を通知した後（Ｓ３０２１）、通話接続部３０２とメッセージ送出部３２１に対して、電話に出るための準備中である旨を示す通話準備中メッセージを発信元電話端末１に送出するよう指示する（Ｓ３０２２）。
【００２６】
次に、通話開始監視タイマを開始し（Ｓ３０２３）、ステップ３０２９で通話開始監視タイマが満了を検知するまでの間、通話開始を要求する特定操作の検知、移動状態判定部３１３および現在位置識別部３２３から現在の移動状態を取得し、通話可能な場所で停止したか否かの判断、再度第１の移動速度範囲以上に加速されたか否かの判断、応答不可メッセージの送出を要求する特定操作の検知を継続する（Ｓ３０２４、Ｓ３０２５、Ｓ３０２６、Ｓ３０２７、Ｓ３０２８、Ｓ３０２９）。
【００２７】
ステップ３０２４において、操作部３３２によって通話開始を要求するキー押下を検知した、または音声コマンド検知部３２２によって通話開始を要求する音声コマンドを検知した、またはセンサー群３１２によって通話開始を要求する所定の衝撃や変位のパターンを検知したなどの特定操作を検知した場合（Ｓ３０２４，Ｙ）、またはステップ３０２６において、通話可能な場所で停止したことを検知した場合（Ｓ３０２６，Ｙ）、通話接続部３０２とメッセージ送出部３２１に対して、メッセージの送出を停止しマイク３０４とスピーカ３０３を発信元電話端末１と通話可能な状態に接続するよう指示して通話状態を形成する（Ｓ３０５２）。
【００２８】
この通話状態において、発信元電話端末１から切断された、または操作部３３２によって終話を要求するキー押下を検知した、または音声コマンド検知部３２２によって終話を要求する音声コマンドを検知した、またはセンサー群３１２によって終話を要求する所定の衝撃や変位のパターンを検知したなどの特定操作を検知した場合（Ｓ３０５３，Ｙ）、通話を終了（切断）して（Ｓ３０５４）、待機状態（Ｓ３０００）に戻る。
【００２９】
尚、ステップ３０２６における通話可能な場所とは、路肩や駐車場等、道路の走行車線以外の場所であり、交差点や信号待ちや渋滞等による一時的な停止では通話開始に至らないよう判断する。
【００３０】
ステップ３０２７において、再度第１の移動速度範囲以上（図３のＶ１または図３のＶ２）に加速されたと判断した場合（Ｓ３０２７，Ｙ）、またはステップ３０２８において、応答不可メッセージの通知を要求する特定操作を検知した場合（Ｓ３０２８，Ｙ）、またはステップ３０２９において、通話開始監視タイマの満了を検知した場合には（Ｓ３０２９，Ｙ）、通話接続部３０２とメッセージ送出部３２１に対して、電話に応答することができない旨を示す応対不可メッセージを発信元電話端末１に送出するよう指示し（Ｓ３０３２）、該メッセージの送出が終了した後、通話を切断して（Ｓ３０３３）、待機状態（Ｓ３０００）に戻る。
【００３１】
次に、ステップ３０３０において、着信を検知した際、第２の移動速度範囲（図３のＶ２）で移動中、または通話することがふさわしくない場所（例えば高速道路）を移動していると判断したならば（Ｓ３０３０，Ｙ）、無線インタフェース部３０１を介して携帯網２に対して着信応答を通知した後（Ｓ３０３１）、通話接続部３０２とメッセージ送出部３２１に対して、電話に応答することができない旨を示すメッセージを発信元電話端末１に送出するよう指示し（Ｓ３０３２）、該メッセージの送出が終了した後、通話を切断して（Ｓ３０３３）、待機状態（Ｓ３０００）に戻る。
【００３２】
次に、ステップ３０１０とステップ３０３０において、第１の移動速度（図３のＶ１）および第２の移動速度範囲（図３のＶ２）でなく、すみやかに通話が可能な状態（図３のＶ０）であると判断した場合には（Ｓ３０１０，Ｎ、Ｓ３０３０Ｎ）、表示部３３１より着信状態であることを使用者に報知した後（Ｓ３０４０）、操作部３３２によって通話開始を要求するキー押下を検知した、または音声コマンド検知部３２２によって通話開始を要求する音声コマンドを検知した、またはセンサー群３１２によって通話開始を要求する所定の衝撃や変位のパターンを検知したなどの特定操作を検知した場合（Ｓ３０４１，Ｙ）、無線インタフェース部３０１を介して携帯網２に対して着信応答を通知した後（Ｓ３０５１）、通話接続部３０２とメッセージ送出部３２１に対して、マイク３０４とスピーカ３０３を発信元電話端末１と通話可能な状態に接続するよう指示して通話状態を形成する（Ｓ３０５２）。この通話状態において、発信元電話端末１から切断された、または操作部３３２によって終話を要求するキー押下を検知した、または音声コマンド検知部３２２によって終話を要求する音声コマンドを検知した、またはセンサー群３１２によって終話を要求する所定の衝撃や変位のパターンを検知したなどの特定操作を検知した場合（Ｓ３０５３，Ｙ）、通話を終了（切断）して（Ｓ３０５４）、待機状態（Ｓ３０００）に戻る。
【００３３】
尚、センサー群３１２で検知する通話開始や終話を要求する衝撃や変位のパターンとは、使用者が自電話端末を所定の回数叩いたり振ったりして衝撃や振動を加えたり、使用者が自電話端末を裏返したり縦横の向きを変えるなどの操作である。
【００３４】
尚、図示しないが、ステップ３００１で着信を検知した後、ステップ３０２１またはステップ３０３１またはステップ３０５１までの期間に、発信元電話端末が呼び出しを中止した場合には、着信表示を終了し、待機状態（Ｓ３０００）に戻る。またステップ３０２１またはステップ３０３１以降においてで、発信元電話端末が通話を終了（切断）した場合には、メッセージの送出を中止し、待機状態（Ｓ３０００）に戻る。
【００３５】
尚、本実施例では、ステップ３０１０およびステップ３０３０およびステップ３０２６において、
移動中の場所や停止した場所を判断条件に加えているが、通信環境やデータベースの記憶内容等により、場所を特定するための地図情報を取得できない場合には、移動速度のみで判断してもよい。
【００３６】
図３は、移動速度と着信やメッセージ報知の契機との関連を示す図である。車両を発進させてから停止させるまでの時間経過と移動速度と、本発明によるメッセージ送出と通話の関係を一例として示す。
【００３７】
本図において、高速道路を走行中など、第２の移動速度範囲（Ｖ２）で移動中に着信を受けた場合には（時点１）、着信に自動的に応答して電話に応答することができない旨を示す応対不可メッセージ（Ｍ１）を発信元電話端末に報知する。
【００３８】
また一般道を走行中など、第１の移動速度範囲（Ｖ１）で移動中に着信を受けた場合には（時点２）、所定の期間内に移動速度がＶ０の範囲に減速されたことを検知すると（時点３）、着信に自動的に応答して電話に出るための準備中である旨を示す通話準備中メッセージ（Ｍ２）を発信元電話端末１に報知した後、所定の期間内に通話開始を要求する特定操作を検知すると（時点４）、メッセージの送出を停止し、通話状態を形成する。
【符号の説明】
【００３９】
１  発信元電話端末
２  携帯網（電話網）
３  本発明による電話端末
３０１  無線インタフェース部
３０２  通話接続部
３０３  スピーカ
３０４  マイク
３１１  ＧＰＳ信号受信部
３１２  センサー群
３１３  移動状態判定部
３２０  制御部
３２１  メッセージ送出部
３２２  音声コマンド検知部
３２３  現在位置識別部
３３１  表示部
３３２  操作部
【図１】
0005835106.tif 000002
【図２】
0005835106.tif 000003
【図３】
0005835106.tif 000004